(57)【要約】【解決手段】再絞りスリーブ４０がもたらされる。再絞りスリーブ４０は、第２の端部８０を有する本体７２を含んでおり、第２の端部８０は成形された輪郭を含んでいる。本明細書で定義される成形された輪郭は、薄い金属を成形する際のしわ及び／又は裂け目、並びに他の成形上の問題を実質的に防ぐものである。【選択図】図３
2020514065.tif 000002
【特許請求の範囲】
【請求項１】
缶ボディ製造機（１０）の再絞りアセンブリ（１８）用の再絞りスリーブ（４０）において、
前記缶ボディ製造機（１０）はダイパック（１６）を含んでおり、
前記ダイパック（１６）は再絞りダイ（４２）を含んでおり、
前記ダイパック（１６）及び前記再絞りダイ（４２）は長手方向軸を含んでおり、
前記再絞りスリーブ（４０）は、第２の端部（８０）を含む本体（７２）を備えており、
前記第２の端部（８０）は、成形された輪郭を含む、再絞りスリーブ。
【請求項２】
前記本体の第２の端部（８０）は、軸方向面（１００）を含んでおり、
前記第２の端部の軸方向面（１００）は、内向きテーパーの第２の端部の軸方向面である、請求項１に記載の再絞りスリーブ。
【請求項３】
前記第２の端部（８０）は、径方向面（１０４）を含んでおり、
前記第２の端部の径方向面（１０４）は、内向きオフセットの第２の端部径方向面である、請求項２に記載の再絞りスリーブ。
【請求項４】
前記第２の端部の軸方向面（１００）が、約０°２’乃至０°１０’のテーパーを有する、請求項３に記載の再絞りスリーブ。
【請求項５】
前記第２の端部の径方向面（１０４）は、径方向外辺部（１１０）及びオフセット部分（１１２）を含んでおり、
前記第２の端部のオフセット部分（１１２）は、前記第２の端部の径方向面の径方向外辺部（１１０）に対して、約０．０００５インチ乃至０．００１インチの距離だけ内向きにオフセットしている、請求項３に記載の再絞りスリーブ。
【請求項６】
前記第２の端部（８０）は、径方向面（１０４）を含んでおり、
前記第２の端部の径方向面（１０４）は、内向きオフセットの第２の端部の径方向面である、請求項１に記載の再絞りスリーブ。
【請求項７】
前記第２の端部の径方向面（１０４）は、径方向外辺部（１１０）及びオフセット部分（１１２）を含んでおり、
前記第２の端部のオフセット部分（１１２）は、前記第２の端部の径方向面の径方向外辺部（１１０）に対して、約０．００２インチ乃至０．００３インチの距離だけ内向きにオフセットしている、請求項６に記載の再絞りスリーブ。
【請求項８】
前記第２の端部（８０）は、軸方向面（１００）、移行部（１０２）、及び径方向面（１０４）を含んでおり、
前記第２の端部の移行部（１０２）は、接して合致する輪郭を有する、請求項１に記載の再絞りスリーブ。
【請求項９】
前記第２の端部の移行部（１０２）は、マルチアール面であり、係合部分（１０６）及び非係合部分（１０８）を含んでおり、
前記係合部分（１０６）は、約０．０６０インチ乃至０．１００インチのアールによって規定され、
前記非係合部分（１０８）は、約０．０８０インチ乃至０．１２０インチのアールによって規定され、
前記係合部分（１０６）は中心（１０７）を有しており、
前記非係合部分（１０８）は中心（１０９）を有しており、
前記係合部分の中心（１０７）と前記非係合部分の中心（１０９）は、最低限度距離だけ離れている、請求項８に記載の再絞りスリーブ。
【請求項１０】
前記係合部分（１０６）は、約０．０８０インチのアールによって規定され、
前記非係合部分（１０８）は、約０．１００インチのアールによって規定され、
前記係合部分の中心（１０７）と前記非係合部分の中心（１０９）は、特定の最低限度距離だけ離れている、請求項９に記載の再絞りスリーブ。
【請求項１１】
ボディ製造機（１０）であって、
ラム（１２）と、
前記ラム（１２）に結合しており、前記ラム（１２）に往復運動をもたらすように構成された駆動機構（１４）と、
ダイパック（１６）と、
可動再絞りアセンブリ及び再絞りダイ（４２）を含む再絞りアセンブリ（１８）と、
を備えており、
前記ラム（１２）は、前記ラム（１２）が前記ダイパック（１６）から離間した第１の後退位置と、前記ラム（１２）が前記ダイパック（１６）を通って延びる第２の前進位置との間を往復するように構成されており、
前記再絞りダイ（４２）は、前記ダイパック（１６）内に配置され、
前記再絞りアセンブリ（１８）は再絞りスリーブ（４０）を含んでおり、
前記再絞りスリーブ（４０）は、第２の端部（８０）を有する本体（７２）を含んでおり、
前記再絞りスリーブの第２の端部（８０）は成形された輪郭を含んでいる、ボディ製造機。
【請求項１２】
前記本体の第２の端部（８０）は、軸方向面（１００）を含んでおり、
前記第２の端部の軸方向面（１００）は、内向きテーパーの第２の端部の軸方向面である、請求項１１に記載のボディ製造機。
【請求項１３】
前記第２の端部（８０）は、径方向面（１０４）を含んでおり、
前記第２の端部の径方向面（１０４）は、内向きオフセットの第２の端部の径方向面である、請求項１２に記載のボディ製造機。
【請求項１４】
前記第２の端部の軸方向面（１００）が、約０°２’乃至０°１０’のテーパーを有する、請求項１３に記載のボディ製造機。
【請求項１５】
前記第２の端部の径方向面（１０４）は、径方向外辺部（１１０）及びオフセット部分（１１２）を含んでおり、
前記第２の端部のオフセット部分（１１２）は、前記第２の端部の径方向面の径方向外辺部（１１０）に対して、約０．０００５インチ乃至０．００１インチの距離だけ内向きにオフセットしている、請求項１３に記載のボディ製造機。
【請求項１６】
前記第２の端部（８０）は、径方向面（１０４）を含んでおり、
前記第２の端部の径方向面（１０４）は、内向きオフセットの第２の端部の径方向面である、請求項１１に記載のボディ製造機。
【請求項１７】
前記第２の端部の径方向面（１０４）は、径方向外辺部（１１０）及びオフセット部分（１１２）を含んでおり、
前記第２の端部のオフセット部分（１１２）は、前記第２の端部の径方向面の径方向外辺部（１１０）に対して、約０．００２インチ乃至０．００３インチの距離だけ内向きにオフセットしている、請求項１６に記載のボディ製造機。
【請求項１８】
前記第２の端部（８０）は、軸方向面（１００）、移行部（１０２）、及び径方向面（１０４）を含んでおり、
前記第２の端部の移行部（１０２）は、接して合致する輪郭を有する、請求項１１に記載のボディ製造機。
【請求項１９】
前記第２の端部の移行部（１０２）は、マルチアール面であり、係合部分（１０６）及び非係合部分（１０８）を含んでおり、
前記係合部分（１０６）は、約０．０６０インチ乃至０．１００インチのアールによって規定され、
前記非係合部分（１０８）は、約０．０８０インチ乃至０．１２０インチのアールによって規定され、
前記係合部分（１０６）は中心（１０７）を有しており、
前記非係合部分（１０８）は中心（１０９）を有しており、
前記係合部分の中心（１０７）と前記非係合部分の中心（１０９）は、最低限度距離だけ離れている、請求項１８に記載のボディ製造機。
【請求項２０】
前記係合部分（１０６）は、約０．０８０インチのアールによって規定され、
前記非係合部分（１０８）は、約０．１００インチのアールによって規定され、
前記係合部分の中心（１０７）と前記非係合部分の中心（１０９）は、特定の最低限度距離だけ離れている、請求項１９に記載のボディ製造機。
【発明の詳細な説明】
【技術分野】
【０００１】
開示された概念は概して、缶ボディ製造機（can bodymaker）に関し、より具体的には、成形された輪郭を有する再絞りスリーブを含む再絞りアセンブリを有する缶ボディ製造機に関する。
【背景技術】
【０００２】
一般的に、缶は、金属の薄板又はコイルから打ち抜かれた、限定ではないがアルミニウムなどの金属のディスクから作られる。当該ディスクは、「ブランク」としても知られている。ブランクは、カップ形成機（cupper）に送られる。カップ形成機は、ブランク及び絞りプロセスを実行する。即ち、ブランクは、底部と付随する側壁とを有するカップに成形される。カップは、幾つかのボディ製造機の１つに送られて、再絞り及びしごき工程が実行される。より具体的には、カップは、実質的に円形の開口を有するダイパックの口部にて缶形成機に配置される。カップは、再絞りアセンブリの一部である再絞りスリーブによって所定の位置に保持される。再絞りスリーブは、中空の管状構造体であって、カップの内側に配置されて、カップをダイパックに付勢する。再絞りスリーブの軸方向面は、以下に説明するように、ラムの縦軸に実質的に垂直に延びている。再絞りスリーブの径方向面は、ラムの長手方向軸に実質的に平行に延びており、概ねスムーズである。つまり、径方向面は、オフセット部分を含んでいない。ダイパックの最初のダイは再絞りダイであって、再絞りダイはまた、再絞りアセンブリの一部でもある。カップは、再絞りスリーブによって再絞りダイに付勢される。その他のダイ、しごきダイは、再絞りダイの後ろに配置され、再絞りダイと軸方向に揃えられる。しごきダイは、再絞りアセンブリの一部ではない。細長い円筒状ラムは、前方の遠位端にパンチを有しており、再絞りダイ及びしごきダイの開口と揃えられて、それら開口を通って移動するように構成されている。ラムに対向するダイパックの端には、ドーマー（domer）がある。ドーマーは、カップ／缶の底に凹状のドームを形成するように構成されたダイである。
【０００３】
缶を形成するために使用する材料をできるだけ少なくすることが望ましい。一般的には、缶を形成するために使用される材料の量を減らすために、シート材料の厚さが減らされる。しかしながら、薄い金属は、再絞りスリーブの作用を受けると、しわが寄ったり裂けたりする傾向がある。再絞りスリーブは、以下で述べるように、ラムの長手方向軸に実質的に垂直に延びる軸方向面と、ラムの長手方向軸に実質的に平行に、オフセットなしで延びる径方向面とを有している。更に、再絞りスリーブでは、再絞りスリーブの軸方向表面と再絞りスリーブの径方向面との間の移行部は、カップの輪郭に接して合致しないので、薄い金属にしわが寄ったり裂けたりする傾向がある。故に、再絞りスリーブ、特にカップと係合する再絞りスリーブの端部の形状/輪郭は、明白な問題である。
【発明の概要】
【０００４】
開示されており、特許請求の範囲に記載されている概念は、第２の端部を備えた本体を含む再絞りスリーブを提供するものであって、第２の端部は成形された輪郭を含んでいる。以下に定義される成形された輪郭は、薄い金属を成形する場合に、しわ及び／又は裂け目に加えて、その他の成形上の問題を実質的に防止する。故に、再絞りスリーブの成形された輪郭は、上記の問題を解決する。
【図面の簡単な説明】
【０００５】
本発明の完全な理解は、好ましい実施形態の以下の説明から、添付の図面と併せて読むことで得られる。
【図１】図１は、ボディ製造機の概略を示す部分的な側面図である。
【図２】図２は、再絞りスリーブアセンブリの側断面図である。
【図３】図３は、再絞りスリーブの詳細な側断面図である。
【発明を実施するための形態】
【０００６】
図面に図示されており、本明細書に記載される特定の要素は、開示される概念の単なる例示的な実施形態であって、例示の目的のためだけに非限定的な例として提供されるものである。故に、本明細書に開示される実施形態に関する特定の寸法、方向、アセンブリ、使用される構成要素の数、実施形態の構成、及び他の物理的特性は、開示される概念の範囲を限定するものとして見なされるべきではない。
【０００７】
例えば、時計回り、反時計回り、左、右、上、下、上方、下方及びそれらの派生語などの本明細書で使用される方向を表す用語は、図面に示される要素の向きに関するものであり、本明細書で特に明記しない限り、特許請求の範囲を限定しない。
【０００８】
本明細書では、単数形の「ある」及び「その」は、文脈が明らかにそうでないと示さない限り、複数の言及を含む。
【０００９】
本明細書では、「［動詞］するように構成された」は、特定の要素又はアセンブリが、特定の動詞を実行するように形成、サイズ決め、配置、結合及び／又は構成された構造を有することを意味する。例えば、「移動するように構成された」部材は、他の要素に移動可能に結合されて部材を移動させる要素、又は他の要素若しくはアセンブリに応答して移動するように構成された要素を含む。従って、本明細書では、「［動詞］するように構成された」は、機能ではなく、構造を明記する。更に、本明細書では、「［動詞］するように構成された」は、特定の要素又はアセンブリが特定の動詞を実行することを意図しており、実行するように設計されていることを意味する。従って、単に、特定の動詞を実行することが可能であるが、特定の動詞を実行することを意図しておらず、設計されていない要素は、「［動詞］するように構成されて」いない。
【００１０】
本明細書では、「関連する」とは、要素が同一のアセンブリの一部であること、及び／又は、一緒に動作するか、又は何らかの方法で互いに作用することを意味する。例えば、自動車は、４つのタイヤ及び４つのハブキャップを有する。それら全ての要素が自動車の一部として結合されている一方で、各ハブキャップが特定のタイヤと「関連している」ことは理解される。
【００１１】
本明細書では、２つ以上の部品又は構成要素が「結合された」という記述は、それらの部品が直接的又は間接的に、即ち、リンクが発生する限り、１又は複数の中間部品又は構成要素を介して、一緒に結合されるか又は一緒に動作することを意味する。本明細書では、「直接結合された」は、２つの要素が互いに直接接触していることを意味する。本明細書では、「固定的に結合された」又は「固定された」は、２つの構成要素が、互いに対して一定の向きを維持しながら一体として移動するように結合されることを意味する。従って、２つの要素が結合されると、それらの要素のすべての部分が結合される。しかしながら、第１の要素の特定の部分が第２の要素に結合されている、例えば、車軸の第１の端部が第１の車輪に結合されているという説明は、第１の要素の特定の部分が第１の要素の他の部分よりも第２の要素の近くに配置されていることを意味する。更に、重力によってのみ適所に保持されている別の物体に載っている物体は、他の方法で上側物体が実質的に適所に維持されない限り、下側物体に「結合されて」いない。即ち、例えば、テーブルの上の本は、テーブルに結合されていないが、テーブルに接着された本は、テーブルに結合されている。
【００１２】
本明細書では、「締結具」は、２つ以上の要素を結合するように構成された別個の構成要素である。従って、例えば、ボルトは、「締結具」であるが、さねはぎ継手は、「締結具」ではない。即ち、さねはぎ要素は、結合される要素の一部であり、別個の構成要素ではない。
【００１３】
本明細書では、「取り外し可能に結合された」又は「一時的に結合された」という語句は、ある構成要素が別の構成要素と本質的に一時的に結合されることを意味する。即ち、２つの構成要素は、構成要素の接合又は分離が容易であり、構成要素を損傷しないように結合されている。例えば、限られた数の容易にアクセス可能な締結具で互いに固定されている２つの構成要素、即ち、アクセスが困難ではない締結具は、「取り外し可能に結合」されているが、アクセスが困難な締結具によって互いに溶接又は接合された２つの構成要素は、「取り外し可能に結合されて」いない。「アクセスが困難な締結具」は、締結具にアクセスする前に１又は複数の他の構成要素の取り外しを必要とする締結具であり、「他の構成要素」は、限定するものではないが、ドアなどのアクセス装置ではない。
【００１４】
本明細書では、「一時的に配置される」は、第１の要素を切り離すか、又は操作する必要なく、第１の要素／アセンブリが移動されることを可能にする様式で、第１の要素又はアセンブリが第２の要素又はアセンブリの上に載っていることを意味する。例えば、テーブルの上に単に載っている本、即ち、テーブルに接着又は固定されていない本は、テーブルの上に「一時的に配置されて」いる。
【００１５】
本明細書では、「動作可能に結合される」とは、各々が第１の位置と第２の位置との間、又は第１の構成と第２の構成との間で移動可能な幾つかの要素又はアセンブリが、第１の要素が一方の位置／構成から他方の位置／構成へ移動すると、第２の要素も同様に位置／構成間を移動するように結合されることを意味する。第１の要素は、他の要素に「動作可能に結合され」もよく、逆が当て嵌まらなくてよいことに留意のこと。
【００１６】
本明細書では、「カップリングアセンブリ」は、２つ又は３つ以上のカップリング又はカップリング構成要素を含む。カップリング又はカップリングアセンブリの構成要素は、一般に、同一の要素又は他の構成要素の一部ではない。従って、「カップリングアセンブリ」の構成要素は、以下の説明において同時に説明されない場合がある。
【００１７】
本明細書では、「カップリング」又は「カップリング構成要素」は、カップリングアセンブリの１又は複数の構成要素である。即ち、カップリングアセンブリは、一緒に結合されるように構成されている少なくとも２つの構成要素を含む。カップリングアセンブリの構成要素は、互いに適合性があることが理解される。例えば、カップリングアセンブリにおいて、一方のカップリング構成要素がスナップソケットである場合には、他方のカップリング構成要素は、スナッププラグであり、又は一方のカップリング構成要素がボルトである場合には、他方のカップリング構成要素は、ナットである。
【００１８】
本明細書では、「対応する」は、２つの構造構成要素が互いに類似しており、最小量の摩擦で結合し得るように、寸法決めされ、かつ形成されていることを示唆する。従って、部材に「対応する」開口は、部材が最小量の摩擦で開口を通過できるように、部材よりもわずかに大きく寸法決めされている。２つの構成要素が「ぴったりと」嵌合するようになっている場合は、この定義を変更する。その状況では、構成要素のサイズ間の差異は、更に小さくなり、それにより摩擦の量が増加する。開口を画定する要素及び／又は開口に挿入される構成要素が、変形可能又は圧縮可能な材料から製造される場合、開口は、開口に挿入されようとする構成要素よりもわずかに小さくてもよい。表面、形状、及び線に関して、２つ又は３つ以上の「対応する」表面、形状、又は線は、略同一のサイズ、形状、及び輪郭を有する。
【００１９】
本明細書では、「平面体」又は「平面部材」は、対向する幅広の略平行な面、即ち、平面部材の平らな表面と、幅広の平行面間に延びるより薄い端面とを含む概ね薄い要素である。即ち、本明細書では、「平面」要素が２つの対向する平面を有することは本質的である。周縁部、つまり端面は、例えば、長方形の平面部材のように、略直線部分を含んでもよく、ディスクのように、湾曲してもよく、又は他の任意の形状を有してもよい。
【００２０】
本明細書では、「移動経路」又は「経路」は、移動する要素と関連して使用されるとき、移動中に要素が通る空間を含む。従って、何れの動く要素にも、本質的に「移動経路」又は「経路」がある。
【００２１】
本明細書では、２つ以上の部品又は構成要素が互いに「係合する」という表現は、要素が直接又は１又は複数の中間要素又は構成要素を通して互いに力又はバイアスを及ぼすことを意味する。更に、可動部分に関して本明細書では、可動部分は、ある位置から別の位置への移動中に別の要素に「係合」してもよく、及び／又は、その位置に達すると別の要素に「係合」してもよい。従って、「要素Ａが要素Ａの第１の位置に移動すると、要素Ａは、要素Ｂと係合する」及び「要素Ａが要素Ａの第１の位置にある場合、要素Ａは、要素Ｂと係合する」という記述は、等価な記述であり、要素Ａは、要素Ａの第１の位置に移動する間に要素Ｂと係合する、及び／又は、要素Ａは、要素Ａの第１の位置にある間要素Ｂと係合するかの何れかを意味すると理解される。
【００２２】
本明細書では、「動作可能に係合する」とは、「係合して移動させる」ことを意味する。即ち、可動又は回転可能な第２の構成要素を移動させるように構成された第１の構成要素に関して使用される場合、「動作可能に係合する」は、第１の構成要素が第２の構成要素を移動させるのに十分な力を加えることを意味する。例えば、ドライバは、ねじと接触するように配置できる。ドライバに力が加えられていない場合、ドライバは、単にねじに「結合されて」いるだけである。軸線方向の力がドライバに加わると、ドライバは、ねじに対して押し付けられ、ねじに「係合する」。しかしながら、回転力がドライバに加えられると、ドライバは、ねじに「動作可能に係合し」、ねじを回転させる。更に、電子部品の場合、「動作可能に係合する」とは、ある部品が制御信号又は電流によって別の部品を制御することを意味する。
【００２３】
本明細書では、「単一の」という用語は、単一のピース又はユニットとして製造される構成要素を意味する。つまり、別個に製造されてから１つのユニットとして一緒に結合されたピースを含む構成要素は、「単一の」構成要素又は物体ではない。
【００２４】
本明細書では、「幾つか」という用語は、１又は１よりも大きい整数（即ち、複数）を意味するものとする。
【００２５】
本明細書では、「［ｘ］は、その第１の位置と第２の位置との間で移動する」、又は、「［ｙ］は、［ｘ］をその第１の位置と第２の位置との間で移動させるように構成される」というフレーズにおいて、［ｘ］は、要素又はアセンブリの名称である。更に、［ｘ］が幾つかの位置の間を移動する要素又はアセンブリである場合、代名詞「それ」は、［ｘ］を、即ち、代名詞「それ」に先行する命名された要素又はアセンブリを意味する。
【００２６】
本明細書では、「［要素、点又は軸線］周りに配置される」又は「［要素、点又は軸線］周りに延びる」又は「［要素、点又は軸線］周りに［Ｘ］度」などのフレーズにおける「周りに」は、取り囲む、周囲に延びる、又は周辺で測定されることを意味する。測定値に関連して又は同様の方法で使用される場合、「約」は「およそ」を意味し、即ち、これは、当業者には理解されるように、測定値に関連するおおよその範囲内であることを意味する。
【００２７】
本明細書では、円形又は円筒形の物体の「径方向側面／表面」は、その物体の中心周りに又は本体の中心を通過する高さ線周りに延びる、又は取り囲む側面／表面である。本明細書では、円形又は円筒形の本体の「軸方向側面／表面」は、中心を通る高さ線に対して略垂直に延びる平面内に延びる側面である。即ち、一般に、円筒形スープ缶については、「径方向側面／表面」は、略円形の側壁であり、「軸方向側面／表面」は、スープ缶の頂部及び底部である。
【００２８】
本明細書では、「缶」及び「容器」という用語は、物質（例えば、限定するものではないが、液体、食品、他の任意の適切な物質）を含むように構成されている任意の既知又は好適な容器を指すために実質的に相互交換可能に使用され、ビール缶及びジュース缶などの飲料缶、並びに食品缶が明示的に挙げられるが、これらに限定されない。
【００２９】
本明細書では、「略曲線状」には、複数の湾曲部分を有する要素と、湾曲部分と平坦部分との組み合わせと、互いに対して角度をなして配置され、それにより曲線を形成する複数の平坦部分又は区分とが含まれる。
【００３０】
本明細書では、「輪郭（contour）」は、物体を画定する線又は表面を意味する。即ち、例えば、断面で見たとき、三次元物体の表面は、二次元に単純化され、従って、三次元表面の輪郭の一部は、二次元線の輪郭によって表される。
【００３１】
本明細書では、「周縁部分」は、画定された領域、表面、又は輪郭の外側端部の領域を意味する。
【００３２】
本明細書では、「一般に」は、当業者によって理解されるように、修飾されている用語に関して「一般的な様式で」を意味する。
【００３３】
本明細書では、「実質的に」は、当業者によって理解されるように、修飾されている用語に関して「ほとんど」を意味する。
【００３４】
本明細書では、「にて」は、当業者によって理解されるように、修飾されている用語の上及びそれに近いことを意味する。
【００３５】
図１に示すように、缶ボディ製造機１０は、カップ２を缶ボディ３に変換するように構成されている。以下に説明するように、カップ２は、実質的に円形であるとされる。しかしながら、カップ２と、最終的に得られる缶ボディ３と、カップ２又は缶ボディ３と相互作用する構成要素とは、実質的な円形以外の形状を有してよいことは理解される。カップ２は、実質的に囲まれた空間（図示せず）を規定する、付随する側壁を備えた底部を有する。底の反対側にあるカップ２の端部は、開いている。缶ボディ製造機１０は、往復ラム１２と、駆動機構１４と、ダイパック１６と、再絞りアセンブリ１８と、カップフィーダ２０とを含んでいる（概略的に示す）。即ち、駆動機構１４はラム１２に結合されており、ラム１２に往復運動を与えるように構成されている。知られているように、各サイクルにおいて、カップフィーダ２０は、カップ２をダイパック１６の前に配置し、その開放端はラム１２に向いている。カップ２がダイパック１６の前に位置決めされると、以下に説明する再絞りスリーブアセンブリ４０は、以下に説明する再絞りダイ４２に対してカップ２を付勢する。ラム１２は、近位端３２と、遠位端３４と、長手方向軸３６とを有する、細長くて実質的に円状である本体３０を有している。ラム本体の遠位端３４は、パンチ３８を含む。ラム本体の近位端３２は、駆動機構１４に結合されている。駆動機構１４は、ラム本体３０に往復運動をもたらして、ラム本体３０はその長手方向軸３６に沿って前後に移動する。即ち、ラム本体３０は、第１の後退位置と第２の前進位置との間で往復するように構成されている。第１の後退位置では、ラム本体３０はダイパック１６から離間している。第２の前進位置では、ラム本体３０はダイパック１６を通って延びている。故に、往復ラム１２は前方に（図では左に）進んで、後述する再絞りスリーブアセンブリ４０を通って、カップ２に係合する。カップ２は、再絞りダイ４２と、ダイパック１６内の幾つかのしごきダイ（図示せず）を通って移動する。カップ２は、ダイパック１６内で缶ボディ３に変換されて、そこから取り出される。本明細書では、用語「サイクル」は、ラム１２が第１の後退位置にある状態から始まるラム１２のサイクルを意味することは理解される。
【００３６】
一般に、再絞りアセンブリ１８は、可動再絞りスリーブアセンブリ４０と再絞りダイ４２を含んでいる。再絞りダイ４２は、再絞りスリーブアセンブリ４０に隣接するダイパック１６内に配置されている。即ち、再絞りダイ４２は、ダイパック１６の最初のダイである。再絞りダイ４２は、ダイパック１６を通って延びる中心軸４６を有する円形開口４４を有する。即ち、再絞りダイの中心又は長手方向軸４６は、ダイパック１６の長手方向軸でもある。ラムの長手方向軸３６は、再絞りダイの中心軸４６と実質的に同一直線上にあるように実質的に揃えられている。再絞りダイの円形開口４４の直径は、カップ２よりも小さい。
【００３７】
図２に示すように、再絞りスリーブアセンブリ４０は、駆動機構１４に結合するように構成されており、更に、可動再絞りスリーブアセンブリ４０が再絞りダイ４２から離間している第１の位置と、再絞りスリーブアセンブリ４０が再絞りダイ４２に直接隣接している第２の位置との間を移動するように構成されている。第２の位置では、再絞りスリーブアセンブリ４０は、カップ２を、より具体的にはカップの底部を再絞りダイ４２に対して付勢、即ちクランプする。カップ２は更に、カップ２の中心が実質的に再絞りダイの中心軸４６上に配置されるように配置される。知られているように、駆動機構１４は、米国特許第５，４９７，６４６号又は米国特許第９，３５２，３７５号の何れかに示されているように、駆動機構１４を介して再絞りスリーブアセンブリ４０に動作可能に結合されている。再絞りスリーブアセンブリ４０は、既知の装置及び／又は方法によって移動してもよい。
【００３８】
例示的な実施形態では、再絞りスリーブアセンブリ４０は、マウント５０及び再絞りスリーブ７０を含んでいる。再絞りアセンブリのマウント５０（以下、「マウント」５０）は、概ね円環状の本体５２を含んでいる。即ち、例示的な実施形態では、マウント本体５２は、概ね円形の外面５４を規定する外径と、概ね円形の内面５６を規定する内径とを有する概ね中空の円筒である。例示的な実施形態では、マウント本体内面５６は、ラム１２及び／又はパンチ３８の半径よりも大きい半径を有している。更に、マウント本体５２は、第１の端部５８及び第２の端部６２を含んでいる。例示的な実施形態では、マウント本体５２は金属体である。
【００３９】
例示的な実施形態では、マウント本体の第１の端部５８は、駆動機構１４により近く配置される。更に、マウント本体の第１の端部５８は、外方に延びるフランジ６０を含んでいる。マウント本体の第１の端部のフランジ６０は、例示的な実施形態では、幾つかの軸方向通路６１を含んでいる。本明細書では、「軸方向通路」は、再絞りダイの中心軸４６に概ね平行な方向に延びる通路である。マウント本体の第１の端部の各フランジ通路６１は、カップリング構成要素（図示せず）を収容するような大きさ及び形状にされている。マウント本体５２は、駆動機構１４に移動可能に結合されるように構成されている。
【００４０】
マウント本体の第２の端部６２は、カラー６３を含んでいる。マウント本体の第２の端部のカラー６３もまた、概ね円状の外面６４を規定する外径と、概ね円形の内面６６を規定する内径とを有する概ね円環状の物体である。マウント本体の第２の端部のカラーの外面６４は、カップ２内に収まる大きさにされる。即ち、マウント本体の第２の端部のカラー外面６４は、カップ２よりも小さい半径を有する。例示的な実施形態では、マウント本体の第２の端部のカラー外面６４は、マウント本体の外面５４と実質的に同じ半径を有する。マウント本体の第２の端部カラーの内面６６は、マウント本体の内面５６と比較してより大きい半径を有する。従って、一般に、マウント本体の第２の端部のカラー６３は、前方に延びるフランジである。更に、例示的な実施形態では、マウント本体の第２の端部のカラー６３は、前面６８を含んでいる。マウント本体の第２の端部のカラーの前面６８は、実質的に平面であるか、又は、再絞りスリーブ本体の第１の端部のカラーの後面８８の輪郭に実質的に対応する輪郭を有する。例示的な実施形態では、マウント本体の第２の端部のカラー６３は、マウント本体５２と一体になっている。
【００４１】
例示的な実施形態では、再絞りスリーブ７０はまた、略円環状の本体７２を含んでいる。再絞りスリーブ本体７２は、概ね円形の外面７４を規定する外径と、概ね円形の内面７６を規定する内径とを有する概ね中空の円筒である。例示的な実施形態では、マウント本体の内面７６の半径は、ラム１２及び／又はパンチ３８の半径よりも大きいが、マウント本体の内面５６よりもわずかに小さい。更に、再絞りスリーブ本体７２は、第１の端部７８及び第２の端部８０を含んでいる。例示的な実施形態では、再絞りスリーブ本体７２は、セラミック体又は炭化物体のうちの１つである。
【００４２】
再絞りスリーブ本体の第１の端部７８は、カラー８２を含んでいる。再絞りスリーブ本体の第１の端部のカラー８２も、概ね円形の外面８４を規定する外径と、概ね円形の内面８６を規定する内径とを有する概ね円形の物体である。マウント本体の第２の端部のカラーの外面８４は、例示的な実施形態では、再絞りスリーブ本体の外面７４と比較して減少した半径を有する。再絞りスリーブ本体の第１の端部のカラーの内面８６は、再絞りスリーブ本体の内面７６と実質的に同じ半径を有する。従って、一般に、マウント本体の第２の端部のカラー６３は、後方に延びるフランジである。再絞りスリーブ本体の第１の端部のカラー８２はまた、後面８８を含んでいる。例示的な実施形態では、再絞りスリーブ本体の第１の端部のカラーの後面８８は、実質的に平坦である。例示的な別の実施形態では、再絞りスリーブ本体の第１の端部のカラーの後面８８は、波状面などの輪郭（図示せず）を含むが、これに限定されない。例示的な実施形態では、再絞りスリーブ本体の第１の端部のカラー８２は、再絞りスリーブ本体７２と一体になっている。この構成では、再絞りスリーブ本体７２は、長手方向軸９０を規定する。缶ボディ製造機１０の動作中、再絞りスリーブ本体の長手方向軸９０は、ラム軸３６と実質的に揃えられていることに留意のこと。
【００４３】
本明細書では、「再絞りスリーブ本体の第２の端部」８０は、カップ２が再絞りダイ４２に入る前にカップ２内に配置される再絞りスリーブ本体７２の部分を、即ち、カップがダイパック１６及び／又は再絞りダイ４２において更に成形される前にカップ２内に収まる再絞りスリーブ本体７２の部分を意味する。図３に示された例示的な実施形態では、再絞りスリーブ本体の第２の端部８０は、前側軸方向面１００と、移行面１０２と、径方向面１０４とを含んでいる。知られているように、また、本明細書では、再絞りスリーブ本体の第２の端部の軸方向面１００、以下「第２の端部軸方向面」１００は、概ね平坦であって、再絞りスリーブ本体の軸９０に概ね垂直な面である。更に、本明細書では、移行面１０２は、第２の端部軸方向面１００と再絞りスリーブ本体の第２の端部の径方向面１０４（以下、「第２の端部径方向面」１０４）との間の面である。移行面１０２は、概ね曲線状であって、例示的な実施形態では、アール（radius）及び曲率中心を有する弧状面を、又は、複数のアールと複数の曲率中心とを有する複数の弧状面とを含んでいる。更に、本明細書では、第２の端部径方向面１０４は、再絞りスリーブ本体の軸９０に概ね平行に延びる面である。
【００４４】
再絞りスリーブ本体の第２の端部８０は、例示的な実施形態では、「成形された輪郭」を有する。本明細書では、再絞りスリーブ本体の第２の端部８０の「成形された輪郭」は、第２の端部軸方向面１００が再絞りスリーブ本体の軸９０に対して実質的に垂直でなく、第２の端部径方向面１０４が再絞りスリーブ本体の軸９０に対して実質的に平行ではないこと意味するか、或いは、再絞りスリーブ本体の第２の端部８０の第２の端部軸方向面１００及び第２の端部径方向面１０４は、オフセット部分を含んでおり、これらのオフセット部分は、再絞りスリーブ本体の軸９０に実質的に垂直又は平行であるが、これらは、以下に定義される再絞りスリーブ本体の第２の端部８０の「外辺輪郭（perimeter contour）」に対して、オフセットされていることを意味する。即ち、再絞りスリーブ本体の第２の端部８０は、移行面１０２に直接隣接して配置されている第２の端部径方向面１０４の一部を含んでおり、当該部分は、本明細書では「径方向外辺」１１０である。更に、移行面１０２の直近から再絞りスリーブ本体の軸９０に向かって延びる第２の端部軸方向面１００の外辺部分は、本明細書では「軸方向外辺」１１１である。本明細書では、径方向外辺及び軸方向外辺によって規定される輪郭は、再絞りスリーブ本体の第２の端部８０の「外辺輪郭」である。
【００４５】
更に、本明細書では、再絞りスリーブ本体の第２の端部８０の「テーパー状輪郭」は、第２の端部軸方向面１００が、径方向スリーブ本体の軸９０に対して実質的に垂直ではなく、第２の端部径方向面１０４が、径方向スリーブ本体の軸９０に対して実質的に平行ではないことを意味する。つまり、「テーパー状輪郭」は、「形成された輪郭」の特定のタイプである。同様に、再絞りスリーブ本体の第２の端部８０の「オフセット輪郭」は、第２の端部の軸方向面１００及び第２の端部径方向面１０４が夫々、再絞りスリーブ本体の軸９０に概ね垂直又は平行であるが、再絞りスリーブ本体の第２の端部８０の外辺輪郭に対してオフセットされているオフセット部分を含むことを意味する。つまり、「オフセット輪郭」は、「形成された輪郭」の特定のタイプである。更に、「オフセット輪郭」は、例示的な実施形態では、「最小限度オフセット輪郭（minimally offset contour）」であって、本明細書では、「最小限度オフセット輪郭」は、オフセット部分が約０．０００５インチ乃至０．００１インチの距離だけオフセットされていることを意味する。
【００４６】
更に、本明細書では、テーパー状輪郭は、「内向き」テーパー状輪郭、「外向き」テーパー状輪郭、又は「可変（variably）」テーパー状輪郭の何れかである。本明細書では、「内向き」テーパー状輪郭は、再絞りスリーブ本体の第１の端部７８に向かって広がる第２の端部軸方向面１００、又は、再絞りスリーブ本体の軸９０に向かって広がる第２の端部径方向面１０４である。逆に、本明細書では、「外向き」テーパー状輪郭は、再絞りスリーブ本体の第１の端部７８から先細りになる第２の端部軸方向面１００、又は再絞りスリーブ本体の軸９０から先細りになる第２の端部径方向面１０４である。故に、本明細書では、「可変」テーパー輪郭は、内向きテーパー部分及び外向きテーパー部分の両方を含む第２の端部軸方向面１００、又は、内向きテーパー部分及び外向きテーパー部分の両方を含む第２の端部径方向面１０４である。第２の端部軸方向面１００及び第２の端部径方向面１０４のテーパーは相当なものではなく、第２の端部軸方向面１００及び第２の端部径方向面１０４は夫々、依然として再絞りスリーブ本体の軸９０に対して概ね垂直及び平行であることに留意のこと。即ち、本明細書では、約０度１分乃至０度１０分（包括的な範囲である）のテーパーは「相当なものではない」。更に、０度１分未満のテーパーは、本明細書では、「実質的でない」（「相当なものではない」未満）。
【００４７】
同様に、本明細書では、オフセット輪郭は、「内向き」オフセット輪郭、「外向き」オフセット輪郭、又は「可変」オフセット輪郭の何れかである。本明細書では、「内向き」オフセット輪郭は、再絞りスリーブ本体の第１の端部７８に向かってオフセットした第２の端部軸方向面１００、又は再絞りスリーブ本体の軸９０に向かってオフセットした第２の端部径方向面１０４である。逆に、本明細書では、「外向き」オフセット輪郭は、再絞りスリーブ本体の第１の端部７８から離れるようにオフセットした第２の端部軸方向面１００、又は再絞りスリーブ本体の軸９０から離れるようにオフセットした第２の端部径方向面１０４である。故に、本明細書では、「可変」オフセット輪郭は、内向き及び外向きの両方のオフセット部分を含む第２の端部軸方向面１００、又は、内向き及び外向きの両方のオフセット部分を含む第２の端部径方向面１０４である。
【００４８】
再絞りスリーブ本体の第２の端部８０は、例示的な一実施形態では、内向きテーパー状輪郭を、外向きテーパー状輪郭を、可変テーパー状輪郭を、又は、そのような輪郭の組合せを含むテーパー状輪郭を有する。代替的な実施形態では、再絞りスリーブ本体の第２の端部８０は、内向きオフセット輪郭を、外向きオフセット輪郭を、可変オフセット輪郭を、又は、そのような輪郭の組合せを含むオフセット輪郭を有する。代替的な実施形態では、再絞りスリーブ本体の第２の端部８０は、内向きテーパー状輪郭、外向きテーパー状輪郭、可変テーパー状輪郭、又はそのようなテーパー状輪郭の組合せと、内向きオフセット輪郭、外向きオフセット輪郭、可変オフセット輪郭、又はそのようなオフセット輪郭の組合せとを含む。
【００４９】
例示的な実施形態では、再絞りスリーブ本体の第２の端部８０は、内向きテーパーの第２の端部軸方向面１００と、内向きオフセットの第２の端部径方向面１０４とを含む。即ち、この実施形態では、内向きテーパーの第２の端部軸方向面１００は、約０°２’乃至０°１０’、又は約０°５’のテーパーを有している。本明細書では、第２の端部軸方向面１００のテーパーの角度は、図３に示すように（誇張されている）、再絞りスリーブ本体の軸９０に垂直な線に対して測定され、また、再絞りスリーブ本体の軸９０に沿った平面で第２の端部軸方向面１００を破断して測定される（つまり、再絞りスリーブ本体の軸９０が、断面を規定する平面内に完全にある）ことが理解される。即ち、この例示的な実施形態では、第２の端部軸方向面１００は、再絞りスリーブ本体７２のテーパー及び円筒形状に起因して円錐状になる。しかしながら、本明細書では、テーパーの角度が最低限であるので、第２の端部軸方向面１００は、再絞りスリーブ本体の軸９０に対して依然として「概ね平坦」又は「概ね垂直」であることに留意のこと。
【００５０】
更に、この実施形態では、内向きオフセットの第２の端部径方向面１０４は、径方向外辺部分１１０及びオフセット部分１１２を含む。例示的な実施形態では、第２の端部径方向面のオフセット部分１１２は、最低限度オフセット部分である。即ち、第２の端部径方向面のオフセット部分１１２は、第２の端部径方向面の径方向外辺部分１１０に対して、約０．００２インチ乃至０．００３インチの間の距離だけ内向きにオフセットしている。例示的な実施形態では、第２の端部径方向面のオフセット部分１１２は、第２の端部径方向面の径方向外辺部分１１０に対して、約０．００２５インチの距離だけ内向きにオフセットしている。
【００５１】
「成形された輪郭」としての再絞りスリーブ本体の第２の端部８０の構成は、先に確認した多くの問題を解決する。
【００５２】
軸方向外辺部分１１１における第２の端部軸方向面１００と、径方向外辺部分１１０における第２の端部径方向面１０４とは互いに概ね垂直であるため、移行面１０２は約９０度で曲がることに留意のこと。更に、移行面１０２は、係合部分１０６と、移行面１０２の他の幾つかの部分とを含んでおり、当該幾つかの部分は、カップ２と係合しない。これらの部分は、以下、非係合部分１０８として特定される。本明細書では、再絞りスリーブ本体の第２の端部８０の「係合部分」１０６は、カップ２に最初に係合する移行面１０２の一部である。
【００５３】
例示的な実施形態では、移行面１０２は「マルチアール（multi-radius）」面である。本明細書では、「マルチアール」面は、複数の（１つ以上の）弧状部分によって規定される概ね曲線の表面であって、各弧状部分は、図３に示すように、再絞りスリーブ本体の軸９０に沿って破断した、再絞りスリーブ本体の第２の端部８０の断面で見ると、異なる中心及び／又は半径を有する円弧によって規定される。
【００５４】
例示的な実施形態では、移行面１０２は２つの弧状部分によって規定されており、一方の弧状部分は係合部分１０６を規定しており、他方の弧状部分は非係合部分１０８を規定している。例えば、１２オンスの缶ボディに形成される１つのアルミニウムカップは、３．９３７インチの内直径と、１．３１５インチの高さと、０．１００インチの内側隅アールとを有している。そのようなカップについては、再絞りスリーブ本体の第２の端部８０は、以下のように構成される。係合部分１０６は約４１°の弧にわたって延びており、ここで、移行面１０２は、約０．０６０インチ乃至０．１００インチの間のアール、又は約０．０８０インチのアールを有している。この実施形態では、非係合部分１０８は、約４９°の弧にわたって延びており、ここで、移行面１０２は、約０．０８０インチ乃至０．１２０インチのアール、又は約０．１００インチのアールを有している。言い換えると、移行面はカップのアールに対応している。移行面１０２のアールは、本明細書では、「逃げ半径（relief radius）」である。即ち、第２の端部径方向面のオフセット部分１１２に対する非係合部分１０８のアールは「逃げ半径」である。更に、係合部分１０６はアール中心（radial center）１０７（以下、「中心」）を有しており、非係合部分１０８は異なる中心１０９を有する。係合部分中心１０７及び非係合部分中心１０９は、「最低限度離間距離」又は「特定の最低限度離間距離」で離れている。本明細書では、「最低限度離間距離」は、約０．００１インチ乃至０．０５０インチを意味する。本明細書では、「特定の最低限度離間距離」は、約０．０１５インチを意味する。この構成では、係合部分１０６と非係合部分１０８の間の移行は概ね滑らかである。この構成では、第２の端部径方向面のオフセット部分１１２は、約０．００２インチ乃至０．００３インチ、又は約０．００２５インチだけ、再絞りスリーブ本体７２の最大半径である径方向外辺部分１１０から内向きにオフセットする。この実施形態では、内向きテーパーの第２の端部軸方向面１００は、約０°２’乃至０°１０’、又は約０°５’のテーパーを有する。
【００５５】
更に、この構成では、ボディ製造機１０が使用中である場合、再絞りスリーブ本体の第２の端部８０がカップ２に最初に係合すると、カップ２の内面は、係合部分１０６に概ね接して合致するように延びる。本明細書では、「最初にカップに係合する」は、再絞りスリーブ本体の第２の端部８０がカップ２に接触する時であるが、カップ２が再絞りダイ４２に移動する前を意味する。言い換えると、スリーブ本体の第２の端部８０又は移行面１０２の輪郭は、カップ２に対応するように構成されている。即ち、スリーブ本体の第２の端部８０が最初にカップ２に係合する場合におけるカップ２の内面に実質的に対応する移行面１０２の輪郭は、本明細書では、「接して合致する」輪郭である。故に、例示的な実施形態では、移行面１０２又は係合部分１０６は、「接して合致する」輪郭を有する。
【００５６】
別の例示的な実施形態では、移行面１０２は、ここでも２つの弧状部分によって規定されており、一方の弧状部分は係合部分１０６を規定し、他方の弧状部分は非係合部分１０８を規定する。この例では、１６オンスの缶ボディに形成されるアルミニウムカップは、３．３７５インチの内直径と、２．７９５インチの高さと、０．１６０インチの内側隅アールとを有する。そのようなカップについて、再絞りスリーブ本体の第２の端部８０は、以下のように構成される。係合部分１０６は、約４０°の弧にわたって延びており、ここで、移行面１０２は、約０．１００インチ乃至０．１４０インチのアール、又は、約０．０１２０インチのアールを有している。この実施形態では、非係合部分１０８は約５０°の弧にわたって延びており、ここで、移行面１０２は、約０．１４０インチ乃至０．１８０インチのアール、又は約０．１６０インチのアールを有している。言い換えると、移行面は、カップのアールに対応している。移行面１０２のアールは、先に述べたように本明細書では、「逃げ半径」である。即ち、第２の端部径方向面のオフセット部分１１２に対する非係合部分１０８のアールは「逃げ半径」である。この構成では、係合部分１０６と非係合部分１０８の間の移行は、概ね滑らかである。この構成では、第２の端部径方向面のオフセット部分１１２は、 約０．００２インチと０．００３インチの間、又は約０．００２５インチだけ、再絞りスリーブ本体７２の最大半径である径方向外辺部分１１０から内向きにオフセットしている。この実施形態では、内向きテーパーの第２の端部軸方向面１００は、約０°５’乃至０°１０’、又は約０°８’のテーパーを有する。
【００５７】
上記のような成形された輪郭の構成は、先に明確にされた多くの問題を解決する。
【００５８】
このように、再絞りアセンブリ４０は、図示したように再絞りスリーブ７０である、カップ２の囲まれた空間内に収まる大きさの外径を有する中空の円形チューブである。再絞りアセンブリ４０の内径は、ラム本体３０が通過できるような大きさにされている。即ち、ラム本体３０、より具体的にはパンチ３８の半径は、カップ２を形成する材料の厚さに実質的に等しい距離だけ、再絞りアセンブリ４０の内径よりも小さい。従って、ラム本体３０、より具体的にはパンチ３８がカップ２を再絞りスリーブアセンブリ４０に押し通すと、カップ２は細長くされて大きさが変わって、直径が小さくなる。しかしながら、カップ２の壁の厚さは実質的に変わらない。カップ２は、知られているように、ダイパック１６によって缶ボディへと更に成形される。
【００５９】
本発明の特定の実施形態を詳細に説明したが、本開示の全体的な教示に照らして、これらの詳細に対する様々な変更及び代替がなされ得ることが当業者には理解されよう。従って、開示された特定の構成は、例示のみを目的としており、添付の特許請求の範囲の全範囲と、その任意及び全ての均等物とに与えられる発明の範囲を限定するものではない。
【図１】
2020514065.tif 000003
【図２】
2020514065.tif 000004
【図３】
2020514065.tif 000005
【国際調査報告】
2020514065.tif 000006